(57)【要約】【課題】縦横比の異なる画像をユーザに負担をかけずに簡単かつ高品質に得る。【解決手段】ユーザがカメラ部１７を縦方向または横方向に構えて撮影する際に、方向検出部４５によりカメラ部１７の向きを検出する。そして、特定の撮影モード（横長撮影モード／縦長撮影モード）に対応した基準の向きと異なる場合に、基準の向きに合わせた形で画像データをトリミングしてメイン表示部１５にスルー画像として表示すると共に、メモリ３９に撮影画像として記録する。これにより、ユーザがカメラ部１７をどちらの方向に向けても当該撮像モードに応じた縦横比の異なる画像を得ることができ、また、カメラ部１７を基準の向きに正しく向けていれば、その画像を高画質で得ることができる。【選択図】      図２
2005277674.tif 000002
【特許請求の範囲】
【請求項１】
被写体を撮像し、画像データを出力する撮像手段と、
前記撮像手段から出力される画像データを現在の撮影対象を表すスルー画像として表示する表示手段と、
前記被写体に対する前記撮像手段の向きを検出する方向検出手段と、
前記方向検出手段により検出される前記撮像手段の向きに応じて前記表示手段に表示させるスルー画像の表示形態を変更する表示制御手段と
を具備したことを特徴とする撮像装置。
【請求項２】
前記表示制御手段は、前記撮像手段の向きが予め決められた基準の向きと異なる場合に前記画像データを前記基準の向きに合わせてトリミングした画像をスルー画像として前記表示手段に表示することを特徴とする請求項１記載の撮像装置。
【請求項３】
前記表示制御手段は、前記撮像手段の向きが予め決められた基準の向きと異なる場合に前記画像データの全域をスルー画像として前記表示手段に表示すると共に、当該スルー画像上に前記基準の向きに合わせたトリミング枠を表示することを特徴とする請求項１記載の撮像装置。
【請求項４】
前記撮像手段の向きが予め決められた基準の向きと異なる場合に、その旨を通知する通知手段を具備したことを特徴とする請求項１乃至３のいずれか１つに記載の撮像装置。
【請求項５】
前記撮像手段を横向きにした状態で撮影を行う横長撮影モードを設定する第１のモード設定手段を備え、
前記表示制御手段は、前記第１のモード設定手段によって横長撮影モードが設定された場合に前記撮像手段の横向きを基準の向きとして定め、その基準の向きに合わせたスルー画像の表示処理を行うことを特徴とする請求項１乃至４のいずれか１つに記載の撮像装置。
【請求項６】
前記撮像手段を縦向きにした状態で撮影を行う縦長撮影モードを設定する第２のモード設定手段を備え、
前記表示制御手段は、前記第２のモード設定手段によって横長撮影モードが設定された場合に前記撮像手段の縦向きを基準の向きとして定め、その基準の向きに合わせたスルー画像の表示処理を行うことを特徴とする請求項１乃至５のいずれか１つに記載の撮像装置。
【請求項７】
前記撮像手段から出力される画像データを撮影画像として記録する記録手段と、
前記方向検出手段により検出される前記撮像手段の向きに応じて前記記録手段に記録される撮影画像の記録形態を変更する記録制御手段を備えたことを特徴とする請求項１乃至６のいずれか１つに記載の撮像装置。
【請求項８】
前記撮像手段から出力される画像データを撮影画像として記録する記録手段と、
前記撮像手段の向きが予め決められた基準の向きと異なる場合に前記撮像手段による撮影処理又は前記記録手段による記録処理を禁止する制御手段を備えたことを特徴とする請求項１乃至６のいずれか１つに記載の撮像装置。
【請求項９】
被写体を撮像し、画像データを出力する撮像手段と、
前記撮像手段から出力される画像データを撮影画像として記録する記録手段と、
前記被写体に対する前記撮像手段の向きを検出する方向検出手段と、
前記方向検出手段により検出される前記撮像手段の向きに応じて前記記録手段に記録される撮影画像の記録形態を変更する記録制御手段と
を具備したことを特徴とする撮像装置。
【請求項１０】
前記記録制御手段は、前記撮像手段の向きが予め決められた基準の向きと異なる場合に前記画像データを前記基準の向きに合わせてトリミングした画像を撮影画像として前記記録手段に記録することを特徴とする請求項９記載の撮像装置。
【請求項１１】
被写体を撮像し、画像データを出力する撮像手段と、
前記撮像手段から出力される画像データを撮影画像として記録する記録手段と、
前記被写体に対する前記撮像手段の向きを検出する方向検出手段と、
前記方向検出手段により検出される前記撮像手段の向きが予め決められた基準の方向と異なる場合に前記撮像手段による撮影処理又は前記記録手段による記録処理を禁止する制御手段と
を具備したことを特徴とする撮像装置。
【請求項１２】
前記撮像手段の向きが予め決められた基準の向きと異なる場合に、その旨を通知する通知手段を具備したことを特徴とする請求項１１記載の撮像装置。
【請求項１３】
被写体を撮像し、画像データを出力する撮像手段を備えた撮像装置に搭載されたコンピュータによって実行される撮像処理用のプログラムであって、
前記コンピュータに、
前記撮像手段から出力される画像データを現在の撮影対象を表すスルー画像として所定の表示画面上に表示する機能と、
前記被写体に対する前記撮像手段の向きを検出する機能と、
前記撮像手段の向きに応じて前記表示画面上に表示させるスルー画像の表示形態を変更する機能と
を実現させることを特徴とするプログラム。
【請求項１４】
被写体を撮像し、画像データを出力する撮像手段を備えた撮像装置に搭載されたコンピュータによって実行される撮像処理用のプログラムであって、
前記コンピュータに、
前記撮像手段から出力される画像データを撮影画像として所定のメモリに記録する機能と、
前記被写体に対する前記撮像手段の向きを検出する機能と、
前記撮像手段の向きに応じて前記メモリに記録される撮影画像の記録形態を変更する機能と
を実現させることを特徴とするプログラム。
【請求項１５】
被写体を撮像し、画像データを出力する撮像手段を備えた撮像装置に搭載されたコンピュータによって実行される撮像処理用のプログラムであって、
前記コンピュータに、
前記撮像手段から出力される画像データを撮影画像として所定のメモリに記録する機能と、
前記撮像手段の向きを検出する機能と、
前記撮像手段の向きが予め決められた基準の方向と異なる場合に撮影処理又は記録処理を禁止する機能と
を実現させることを特徴とするプログラム。
【発明の詳細な説明】
【技術分野】
【０００１】
本発明は、例えばデジタルカメラやカメラ付き携帯電話などの撮像装置において、カメラの向きを変えて横長あるいは縦長に撮影する場合に用いて好適な撮像装置と、この撮像装置に用いられる撮影処理用のプログラムに関する。
【背景技術】
【０００２】
例えばデジタルカメラなどで、画像の構図に応じて横長の画像を撮影するための横長撮影モードと、縦長の画像を撮影するための縦長撮影モードがあり、これらの撮影モードをスイッチ操作により任意に切り替えて撮影を行うことができる。ところが、横長撮影モードではカメラを横向きに構えて撮影する必要があり、一方、縦長撮影モードではカメラを縦向きに構えて撮影する必要があり、その都度、撮影モードに応じてカメラを持ち替えて撮影しなければならず、非常に不具合であった。
【０００３】
従来、このような不具合を解消するものとして、略正方形のＣＣＤ（ｃｈａｒｇｅ  ｃｏｕｐｌｅｄ  ｄｅｖｉｃｅ）を用い、縦長撮影モード時にはそのＣＣＤから得られる撮影画像の左右をカットして縦長の画像を得るようにし、また、横長撮影モード時にはその撮影画像の上下をカットして横長の画像を得るようにしたデジタルカメラがある（例えば、特許文献１参照）。
【特許文献１】特開平１１−３２７０３７号公報
【発明の開示】
【発明が解決しようとする課題】
【０００４】
前記特許文献１に開示されたデジタルカメラでは、カメラ向きに依存されずに、撮影モードに応じて横長画像または縦長画像を得ることができる。しかしながら、縦長と横長の両モードのどちらにでも対応できるように、既存のＣＣＤの画素数を略正方形に拡張しているためにコスト高となること、さらに、ユーザが両撮影モードに対応した基準の方向にカメラを正しく向けていたとしても、常に撮影画像の一部がカットされてしまうなどの問題がある。
【０００５】
そこで、本発明では、縦横比の異なる画像をユーザに負担をかけずに簡単かつ高品質に得ることができる撮像装置及びプログラムを提供することを目的とする。
【課題を解決するための手段】
【０００６】
本発明の請求項１に係る撮像装置は、被写体を撮像し、画像データを出力する撮像手段と、前記撮像手段から出力される画像データを現在の撮影対象を表すスルー画像として表示する表示手段と、前記被写体に対する前記撮像手段の向きを検出する方向検出手段と、前記方向検出手段により検出される前記撮像手段の向きに応じて前記表示手段に表示させるスルー画像の表示形態を変更する表示制御手段とを具備したことを特徴とする。
【０００７】
このような構成によれば、被写体を撮像する際に、その被写体に対する撮像手段の向きに応じてスルー画像の表示形態が変更される。したがって、このようなスルー画像の表示形態の違いから縦または横のどちらの方向を基準にした画像を得ることができるのかを知ることができる。
【０００８】
また、本発明の請求項２は、前記請求項１の撮像装置において、前記表示制御手段は、前記撮像手段の向きが予め決められた基準の向きと異なる場合に前記画像データを前記基準の向きに合わせてトリミングした画像をスルー画像として前記表示手段に表示することを特徴とする。
【０００９】
このような構成によれば、ユーザが撮像手段を予め決められた基準の向きと異なる方向に構えた場合に、撮像手段によって得られる画像データが基準の向きに合わせてトリミングされ、スルー画像として表示される。したがって、このトリミングされたスルー画像の形から縦または横のどちらの方向を基準にした画像を得ることができるのかを知ることができる。
【００１０】
また、本発明の請求項３は、前記請求項１の撮像装置において、前記表示制御手段は、前記撮像手段の向きが予め決められた基準の向きと異なる場合に前記画像データの全域をスルー画像として前記表示手段に表示すると共に、当該スルー画像上に前記基準の向きに合わせたトリミング枠を表示することを特徴とする。
【００１１】
このような構成によれば、ユーザが撮像手段を予め決められた基準の向きと異なる方向に構えた場合に、画像データの全域がスルー画像として表示され、その際に、当該スルー画像上に基準の向きに合わせてトリミングした場合のトリミング枠が表示される。したがって、このトリミング枠の表示により、どこまでの範囲が基準の向きに合わせた画像として得ることができるのかを知ることができる。
【００１２】
また、本発明の請求項４は、前記請求項１乃至３のいずれか１つに記載の撮像装置において、前記撮像手段の向きが予め決められた基準の向きと異なる場合に、その旨を通知する通知手段を具備したことを特徴とする。
【００１３】
このような構成によれば、ユーザが撮像手段を基準の向きと異なる方向に構えている場合にその旨が通知されるので、撮像手段を基準の向きに構え直して正しく撮影することができる。
【００１４】
また、本発明の請求項５は、前記請求項１乃至４のいずれか１つに記載の撮像装置において、前記撮像手段を横向きにした状態で撮影を行う横長撮影モードを設定する第１のモード設定手段を備え、前記表示制御手段は、前記第１のモード設定手段によって横長撮影モードが設定された場合に前記撮像手段の横向きを基準の向きとして定め、その基準の向きに合わせたスルー画像の表示処理を行うことを特徴とする。
【００１５】
このような構成によれば、横長撮影モードを有する場合に、その横長撮影モードを設定することで、撮像手段の横向きを基準の向きとした画像を得ることができる。
【００１６】
また、本発明の請求項６は、前記請求項１乃至５のいずれか１つに記載の撮像装置において、前記撮像手段を縦向きにした状態で撮影を行う縦長撮影モードを設定する第２のモード設定手段を備え、前記表示制御手段は、前記第２のモード設定手段によって横長撮影モードが設定された場合に前記撮像手段の縦向きを基準の向きとして定め、その基準の向きに合わせたスルー画像の表示処理を行うことを特徴とする。
【００１７】
このような構成によれば、縦長撮影モードを有する場合に、その縦長撮影モードを設定することで、撮像手段の縦向きを基準の向きとした画像を得ることができる。
【００１８】
また、本発明の請求項７は、前記請求項１乃至６のいずれか１つに記載の撮像装置において、前記撮像手段から出力される画像データを撮影画像として記録する記録手段と、前記方向検出手段により検出される前記撮像手段の向きに応じて前記記録手段に記録される撮影画像の記録形態を変更する記録制御手段を備えたことを特徴とする。
【００１９】
このような構成によれば、被写体を撮像する際に、その被写体に対する撮像手段の向きに応じて撮影画像の記録形態が変更される。したがって、撮像手段を向ける方向により、縦方向または横方向を基準にした画像を簡単に得ることができる。
【００２０】
また、本発明の請求項８は、前記請求項１乃至６のいずれか１つに記載の撮像装置において、前記撮像手段から出力される画像データを撮影画像として記録する記録手段と、前記撮像手段の向きが予め決められた基準の向きと異なる場合に前記撮像手段による撮影処理又は前記記録手段による記録処理を禁止する制御手段を備えたことを特徴とする。
【００２１】
このような構成によれば、ユーザが撮像手段を基準の向きと異なる方向に構えた場合での撮影処理又は記録処理を禁止することができる。
【００２２】
本発明の請求項９に係る撮像装置は、被写体を撮像し、画像データを出力する撮像手段と、前記撮像手段から出力される画像データを撮影画像として記録する記録手段と、前記被写体に対する前記撮像手段の向きを検出する方向検出手段と、前記方向検出手段により検出される前記撮像手段の向きに応じて前記記録手段に記録される撮影画像の記録形態を変更する記録制御手段とを具備したことを特徴とする。
【００２３】
このような構成によれば、被写体に対する撮像手段の向きに応じて撮影画像の記録形態が変更されて記録される。したがって、撮像手段を向ける方向により、縦方向または横方向を基準にした画像を簡単に得ることができる。
【００２４】
また、本発明の請求項１０は、前記請求項９記載の撮像装置において、前記記録制御手段は、前記撮像手段の向きが予め決められた基準の向きと異なる場合に前記画像データを前記基準の向きに合わせてトリミングした画像を撮影画像として前記記録手段に記録することを特徴とする。
【００２５】
このような構成によれば、ユーザが撮像手段を予め決められた基準の向きと異なる方向に構えた場合に基準の向きに合わせて撮影画像がトリミングされる。したがって、ユーザが撮像手段の向きを意識せずとも、基準の方向に合わせた形で撮影画像を得ることができる。
【００２６】
本発明の請求項１１に係る撮像装置は、被写体を撮像し、画像データを出力する撮像手段と、前記撮像手段から出力される画像データを撮影画像として記録する記録手段と、前記被写体に対する前記撮像手段の向きを検出する方向検出手段と、前記方向検出手段により検出される前記撮像手段の向きが予め決められた基準の方向と異なる場合に前記撮像手段による撮影処理又は前記記録手段による記録処理を禁止する制御手段とを具備したことを特徴とする。
【００２７】
このような構成によれば、ユーザが撮像手段を基準の向きと異なる方向に構えた場合での撮影処理又は記録処理を禁止することができる。
【００２８】
また、本発明の請求項１２は、前記請求項１１記載の撮像装置において、前記撮像手段の向きが予め決められた基準の向きと異なる場合に、その旨を通知する通知手段を具備したことを特徴とする。
【００２９】
このような構成によれば、ユーザが撮像手段を基準の向きと異なる方向に構えている場合にその旨が通知されるので、撮像手段を基準の向きに構え直して正しく撮影することができる。
【００３０】
本発明の請求項１３に係るプログラムは、被写体を撮像し、画像データを出力する撮像手段を備えた撮像装置に搭載されたコンピュータによって実行される撮像処理用のプログラムであって、前記コンピュータに、前記撮像手段から出力される画像データを現在の撮影対象を表すスルー画像として所定の表示画面上に表示する機能と、前記被写体に対する前記撮像手段の向きを検出する機能と、前記撮像手段の向きに応じて前記表示画面上に表示させるスルー画像の表示形態を変更する機能とを実現させることを特徴とする。
【００３１】
したがって、コンピュータがこのプログラムに従って処理を実行することにより、前記請求項１記載の発明と同様の作用効果が奏せられる。
【００３２】
本発明の請求項１４に係るプログラムは、被写体を撮像し、画像データを出力する撮像手段を備えた撮像装置に搭載されたコンピュータによって実行される撮像処理用のプログラムであって、前記コンピュータに、前記撮像手段から出力される画像データを撮影画像として所定のメモリに記録する機能と、前記被写体に対する前記撮像手段の向きを検出する機能と、前記撮像手段の向きに応じて前記メモリに記録される撮影画像の記録形態を変更する機能とを実現させることを特徴とする。
【００３３】
したがって、コンピュータがこのプログラムに従って処理を実行することにより、前記請求項９記載の発明と同様の作用効果が奏せられる。
【００３４】
本発明の請求項１５に係るプログラムは、被写体を撮像し、画像データを出力する撮像手段を備えた撮像装置に搭載されたコンピュータによって実行される撮像処理用のプログラムであって、前記コンピュータに、前記撮像手段から出力される画像データを撮影画像として所定のメモリに記録する機能と、前記撮像手段の向きを検出する機能と、前記撮像手段の向きが予め決められた基準の方向と異なる場合に撮影処理又は記録処理を禁止する機能とを実現させることを特徴とする。
【００３５】
したがって、コンピュータがこのプログラムに従って処理を実行することにより、前記請求項１１記載の発明と同様の作用効果が奏せられる。
【発明の効果】
【００３６】
本発明によれば、ユーザが撮像部をどちらの方向に向けても、縦横比の異なる画像をスルー画像または撮影画像として簡単に得ることができる。したがって、ユーザがその都度、撮像部の向きを気にして装置を持ち替える必要がなくなり、そのときの撮影操作の負担を軽減できると共に、ユーザが撮像部を予め決められた基準の方向に正しく構えている場合にはその基準の方向に対応した画像を高画質で得ることができる。
【００３７】
また、ユーザが撮像部を異方向に構えている場合にそのときの撮影を禁止する処理を加えることで、ユーザが撮像部を基準の方向に正しく構えた場合のみ、その基準の方向に対応した画像を高画質で得ることができる。
【発明を実施するための最良の形態】
【００３８】
以下、図面を参照して本発明の実施形態を説明する。
【００３９】
図１は本発明の一実施形態に係る撮像装置としてカメラ付きの携帯電話機を例にした場合の外観構成を示す図であり、ここで折り畳み式の携帯電話機を例にしており、図１（ａ）は開いた状態、同図（ｂ）は閉じた状態を示している。また、この携帯電話機の通信方式として、例えばＣＤＭＡ（Ｃｏｄｅ  Ｄｉｖｉｓｉｏｎ  Ｍｕｌｔｉｐｌｅ  Ａｃｃｅｓｓ：符号分割多元接続）方式を採用しているものとする。
【００４０】
図１に示すように、この携帯電話機１１は、２つの筐体１２，１３がヒンジ機構１４を介して一定の角度範囲内で回動自在に一体に構成された折り畳式となっており、図１（ａ）が最大限に開いた状態の内面の構成を、図１（ｂ）が折り畳んだ状態の外面の構成を示している。
【００４１】
ここで、本実施形態において、この携帯電話機１１を構成する筐体１２と筐体１３のうち、上側の筐体１２は主として撮影部として用いられ、その内面側にはメイン表示部１５、通話時に送話器として用いられるスピーカ１６などが備えられる共に、外面側にはカメラ部１７、撮影ライト１８、サブ表示部１９などが備えられる。
【００４２】
メイン表示部１５およびサブ表示部１９は、それぞれバックライト付きカラーＬＣＤ（Liquid Crystal Display）から構成され、メイン表示部１５は筐体１２，１３を開いた状態で各種メニューなどを表示し、サブ表示部１９は筐体１２，１３を閉じた状態で着信やメール受信のメッセージなどを表示する。
【００４３】
また、メイン表示部１５は、撮影時には電子ファインダとしてスルー画像のモニタ表示を行う一方で、再生時には再生対象として選択された画像を表示する。この場合、撮影時には、図１（ａ）のように筐体１２，１３を開いた状態で、ユーザは本装置を縦向きあるいは横向きに構えて、メイン表示部１５の画面を見ながら、筐体１２の外面側に設置されたカメラ部１７を被写体に向けて撮影を行うことになる。
【００４４】
カメラ部１７は、焦点距離を無段階に可変するズーム機能および合焦位置を自動調整するＡＦ（ａｕｔｏｍａｔｉｃ  ｆｏｃｕｓｉｎｇ）機能を有する。このカメラ部１７は、筐体１２を開いた状態で、所定の操作により静止画あるいは動画の撮影が可能である。撮影ライト１８は、例えば高輝度白色ＬＥＤからなり、撮影時に露出調整用の補助光として用いられる。
【００４５】
一方、下側の筐体１３は主として操作部として用いられ、その内面側にはダイヤルキー等を含む各種操作キー２０や、通話時に送話器として用いられるマイクロホン２１などが備えられる。
【００４６】
各種操作キー２０は、ダイヤルキーや電源キー、着信キーなどの他に、撮影モードを設定するカメラキー２０ａ、シャッタキーとしても機能するセット（ＳＥＴ）キー２０ｂを備えると共に、さらにヒンジ機構１４の一端部に設けられたシャッタキー２０ｃ、カメラ部１７のズーム、露出値等を指示する、前記セットキー２０ｂの周辺部に設けられたリングキー２０ｄなどを備える。
【００４７】
さらに、この筐体１３の底部の一端側には、通信用のアンテナ２２が伸縮自在に取り付けられている。
【００４８】
図２は同実施形態における携帯電話機１１の通信部と撮像部を含めた回路構成を示すブロック図であり、前記図１と同じ部分には同一符号が付されている。
【００４９】
図２に示すように、この携帯電話機１１には、移動通信システムを実現するための回路ユニットとして通信部３１が備えられている。通信部３１は、ＲＦ（ｒａｄｉｏ  ｆｒｅｑｕｅｎｃｙ）部３２、変復調部３３、ＣＤＭＡ部３４からなる。
【００５０】
ＲＦ部３２は、受信時にはアンテナ２２から入力された信号をデュプレクサで周波数軸上から分離し、ＰＬＬシンセサイザから出力される所定周波数の局部発振信号と混合することによりＩＦ信号に周波数変換し、さらに広帯域ＢＰＦで受信周波数チャネルのみを抽出し、ＡＧＣ増幅器で希望受信波の信号レベルを一定にしてから次段の変復調部３３へ出力する。
【００５１】
一方、送信時には変復調部３３から送られてくるＯＱＰＳＫ（Ｏｆｆｓｅｔ  Ｑｕａｄｒｉ−Ｐｈａｓｅ  Ｓｈｉｆｔ  Ｋｅｙｉｎｇ）の変調信号をＡＧＣ増幅器で送信電力制御した後、ＰＬＬシンセサイザから出力される所定周波数の局部発振信号と混合してＲＦ帯に周波数変換し、ＰＡ（Ｐｏｗｅｒ  Ａｍｐｌｉｆｉｅｒ）で大電力に増幅して、前記デュプレクサを介してアンテナ２２より輻射送信させる。
【００５２】
変復調部３３は、受信時にＲＦ部３２からのＩＦ信号を直交検波器でベースバンドＩ・Ｑ（Ｉｎ−ｐｈａｓｅ・Ｑｕａｄｒａｔｕｒｅ−ｐｈａｓｅ）信号に分離し、デジタル化してＣＤＭＡ部３４に出力する。
【００５３】
一方、送信時にはＣＤＭＡ部３４から送られてくるデジタル値のＩ・Ｑ信号をアナログ化した後に直交変調器でＯＱＰＳＫ変調してＲＦ部３２に送出する。
【００５４】
ＣＤＭＡ部３４は、受信時に変復調部３３からのデジタル信号をＰＮ（Ｐｓｅｕｄｏ  Ｎｏｉｓｅ：擬似雑音）符号のタイミング抽出回路およびそのタイミング回路の指示に従って逆拡散・復調を行なう複数の復調回路に入力し、そこから出力される複数の復調シンボルの同期をとって合成器で合成して音声処理部３５に出力する。
【００５５】
一方、送信時には音声処理部３５からの出力シンボルを拡散処理した後にデジタルフィルタで帯域制限をかけてＩ・Ｑ信号とし、変復調部３３に送出する。
【００５６】
音声処理部３５は、受信時にＣＤＭＡ部３４からの出力シンボルをデインタリーブし、それからビタビ復調器で誤り訂正処理を施した後に、音声処理ＤＳＰ（Ｄｉｇｉｔａｌ  Ｓｉｇｎａｌ  Ｐｒｏｃｃｅｓｓｏｒ）で圧縮されたデジタル信号から通常のデジタル音声信号へと伸長し、これをアナログ化してスピーカ（ＳＰ）１６を拡声駆動させる。
【００５７】
一方、送信時にはマイクロホン（ＭＩＣ）２１から入力されるアナログの音声信号をデジタル化した後に音声処理ＤＳＰでデータ量を圧縮し、それから畳込み符号器で誤り訂正符号化してからインタリーブし、その出力シンボルをＣＤＭＡ部３４へ送出する。
【００５８】
これらのＲＦ部３２、変復調部３３、ＣＤＭＡ部３４および音声処理部３５は、それぞれ制御部３６に接続される。制御部３６は、マイクロコンピュータからなり、ＣＰＵと、プログラムを固定的に記憶したＲＯＭ、ワークメモリとして使用されるＲＡＭ等で構成され、この携帯電話機１１全体の動作を制御する。
【００５９】
この制御部３６には、カメラ部１７、画像撮影部３７、画像処理部３８、メイン表示部１５、サブ表示部１９、メモリ３９、ＬＥＤ駆動部４０が接続されている。
【００６０】
カメラ部１７は、モータ（Ｍ）４２と、このモータ（Ｍ）４２により位置駆動される光学レンズ系４３と、この光学レンズ系４３の撮影光軸後方に配置されたＣＣＤ４４とからなる。画像撮影部３７は、制御部３６の下でＣＣＤ４４を駆動制御して、このＣＣＤ４４により得られる被写体の画像データをデジタル化して出力する。この画像撮影部３７を通じて取り込まれた画像データは、図１に示したメイン表示部１５に現在の撮影対象を示すスルー画像としてモニタ表示される。
【００６１】
ここで、ＣＣＤ４４は、例えば１２８０×９６０ドットの長方形状の撮影領域を有して約１３０万画素の撮影が可能である。このＣＣＤ４４の撮影領域に対応させてメイン表示部１５の表示画面も長方形状に構成されている。
【００６２】
また、撮影対象となる画像データがメイン表示部１５の表示画面上にモニタ表示されている状態で、操作キー２０に含まれるセット（ＳＥＴ）キー２０ｂまたはシャッタキー２０ｃの操作による撮影指示があると、当該画像データが画像処理部３８により例えばＪＰＥＧ方式にてデータ圧縮された後、画像記録用のメモリ３９に書き込まれる。このメモリ３９としては、予め本体に内蔵されたメモリの他に、記録媒体として着脱自在に装着されるメモリカードなどを含む。
【００６３】
ＬＥＤ駆動部４０は、撮影ライト１８を構成する高輝度白色ＬＥＤの駆動回路からなり、撮影ライト１８を発光駆動してカメラ部１７の撮影対象となる被写体方向に向けて補助光を照射する。
【００６４】
さらに、本実施形態において、この携帯電話機１１には方向検出部４５が備えられている。この方向検出部４５は、携帯電話機１１のカメラ部１７の向きを検出するものであり、詳しくは、カメラ部１７が備えられた筐体１２が縦向きの状態（図３（ａ）の状態）にあるのか、横向きの状態（図３（ｂ）の状態）にあるのかを筐体１２に内蔵された垂直方向と水平方向の二軸のセンサを用いて検出する。
【００６５】
図３に携帯電話機１１のカメラ部１７の向きを示す。図３（ａ）は携帯電話機１１の筐体１２を開いた状態でカメラ部１７を縦向きにした場合、同図（ｂ）は携帯電話機１１の筐体１２を開いた状態でカメラ部１７を横向きにした場合を示している。
【００６６】
携帯電話機１１は、縦横比の異なる画像を撮影するための特定の撮像モードとして、「横長撮影モード」と「縦長撮影モード」の２つのモードを有する。「横長撮影モード」は、ＶＧＡ（ｖｉｄｅｏ  ｇｒａｐｈｉｃｓ  ａｒｒａｙ）サイズの画像を撮影する場合などに用いられる。「縦長撮影モード」は、壁紙画像撮影する場合などに用いられる。これらの撮影モードは、カメラキー２０ａの操作により任意に切り替え可能である。
【００６７】
ここで、本実施形態では、長方形状のＣＣＤ４４の長辺を縦方向（垂直方向）、短辺を横方向（水平方向）にして配置されている。したがって、「縦長撮影モード」では、通常は、図３（ａ）に示すように携帯電話機１１を縦持ちにして、筐体１２に備えられたカメラ部１７を縦向きにして撮影を行う必要があるが、本実施形態では、カメラ部１７を横向きにした状態でも縦長画像（縦方向に長い画像）の撮影を可能とする。
【００６８】
同様に、「横長撮影モード」では、図３（ｂ）に示すように携帯電話機１１を横持ちにして、筐体１２に備えられたカメラ部１７を横向きにして撮影を行う必要があるが、その際に、カメラ部１７を縦向きにした状態でも横長画像（横方向に長い画像）の撮影を可能とする。
【００６９】
以下に、このようなカメラ部１７の向きに応じた撮影動作について、（ａ）横長撮影モード時と、（ｂ）縦長撮影モード時の処理に分けて詳しく説明する。なお、ここでは静止画を撮影する場合を想定して説明するが、動画の撮影でも同様である。また、以下の各フローチャートで示される処理は、マイクロコンピュータである制御部３６がプログラムを読み込むことにより実行される。
【００７０】
（ａ）横長撮影モード時
図４は携帯電話機１１の横長撮影モード時の処理動作を示すフローチャートである。今、携帯電話機１１の筐体１２を開いた状態で、ユーザがこの携帯電話機１１を図３（ａ），（ｂ）のように縦向きまたは横向きに持って、メイン表示部１５の表示画面を見ながら撮影を行うものとする。
【００７１】
カメラキー２０ａの操作により、横長画像を撮影するための横長撮影モードを設定すると（ステップＡ１１）、まず、方向検出部４５により携帯電話機１１のカメラ部１７の向き（詳しくは、カメラ部１７が備えられた筐体１２の向き）が検出されて制御部３６に与えられる（ステップＡ１２）。
【００７２】
ここで、携帯電話機１１のカメラ部１７が当該撮影モードに対応した基準の方向とは異なる方向つまり縦向きであった場合には（ステップＡ１３のＹｅｓ）、制御部３６は、その縦向き状態にてＣＣＤ４４から得られる画像データ（縦長画像）の上下端部をカットしてトリミングすることにより横長画像を生成し、これをスルー画像としてメイン表示部１５の一部の領域に表示する。また、その際に、当該画面の上下に生じる空領域に横向きを促すメッセージを表示する（ステップＡ１４）。
【００７３】
一方、携帯電話機１１のカメラ部１７が当該撮影モードに対応した基準の方向つまり横向きであった場合には（ステップＡ１３のＮｏ）、制御部３６は、その横向き状態にてＣＣＤ４４から得られる画像データ（横長画像）をそのままの形で通常のスルー画像としてメイン表示部１５の全域に表示する（ステップＡ１５）。
【００７４】
図６にこのときのメイン表示部１５の画面表示例を示す。図６（ａ）は縦持ち時の画面表示例、同図（ｂ）は横持ち時の画面表示例を示している。
【００７５】
横長撮影モードにおいて、ユーザが携帯電話機１１のカメラ部１７を縦向きに構えると、図６（ａ）に示すように、ＣＣＤ４４の一部の使用により強制的に作られた横長画像５１が表示される。その際、この横長画像５１の前後の空き領域の一方に、例えば「横配置で大きな画面を確認できます」といったように、横向きの撮影を促すようなメッセージ５２が表示される。なお、このメッセージ５２を音声にて通知することでも良い。
【００７６】
また、ここではメイン表示部１５の画面の一部に横長画像を表示する場合の例を示したが、例えばメイン表示部１５の画面全体を使ってスルー画像をそのまま表示し、その中で横長画像の形にした場合のトリミング枠５３ａ，５３ｂを重畳表示するようにしても良い。このようなトリミング枠５３ａ，５３ｂの表示により、ユーザがカメラ部１７を異方向に構えている場合に、どこまでの範囲が当該撮影モードに応じた横長画像として得られるのかを事前に確認することができる。
【００７７】
ここで、ユーザが携帯電話機１１を持ち替えて、カメラ部１７を横向きに構えれば、図６（ｂ）に示すように、メイン表示部１５の画面全体にＣＣＤ４４の全域を使った通常の横長画像５４が精細に表示される。
【００７８】
図４に戻って、このような横長のスルー画像が表示されている状態で、セットキー２０ｂまたはシャッタキー２０ｃの押下などによるシャッタ操作があると（ステップＡ１６のＹｅｓ）、制御部３６は、画像撮影部３７を通じてＣＣＤ４４の撮影画像を取り込むなどの所定の撮影処理を行うと共に（ステップＡ１７）、そのときに縦撮りであったのか横撮りであったのかを方向検出部４５からの検出信号に基づいて判断する（ステップＡ１８）。
【００７９】
そして、縦撮りであった場合、つまり、カメラ部１７を縦向きに構えて撮影された場合であれば（ステップＡ１８のＹｅｓ）、制御部３６は、図６（ａ）のように上下端部をカットした撮影画像を横長画像としてとして扱い、画像処理部３８にて所定の方式で圧縮した後、メモリ３９に記録する（ステップＡ１９）。図７にこのときに得られる撮影画像（横長画像）の一例を示す。
【００８０】
一方、横撮りであった場合、つまり、カメラ部１７を横向きに構えて撮影された場合であれば（ステップＡ１８のＮｏ）、制御部３６は、図６（ｂ）のように撮影画像をそのままの形で通常の横長画像として画像処理部３８にて所定の方式で圧縮した後、メモリ３９に記録する（ステップＡ２０）。
【００８１】
このように、横長撮影モードが設定されている場合に、カメラ部１７を縦向きに構えて横長の画像を得ることができる。ただし、カメラ部１７を縦向きにして撮影した場合にも撮影可能であり、その都度、撮影モードを意識して携帯電話機１１を持ち替えなくても、上下端部のカットにより強制的に横長画像が作成されるため、通常サイズの横長画像よりも画質が低下することになる。
【００８２】
なお、このような異方向での撮影を防止するため、シャッタ操作があったときに撮影を禁止するような処理を設けることでも良い。図５にこのような撮影禁止処理を設けた場合のフローチャートを示す。図中のステップＢ１１〜Ｂ１３が撮影禁止処理に対応しており、ステップＡ１６とステップＡ１７との間に設けられる。
【００８３】
すなわち、横長のスルー画像が表示されている状態で、セットキー２０ｂまたはシャッタキー２０ｃの押下などによるシャッタ操作があると（ステップＡ１６のＹｅｓ）、制御部３６は、方向検出部４５を通じて携帯電話機１１のカメラ部１７の向きを検出する（ステップＢ１１）。
【００８４】
その結果、カメラ部１７が縦向きであった場合、つまり、横長撮影モードと異なる方向にカメラ部１７が構えられていた場合には（ステップＢ１２のＹｅｓ）、制御部３６は、直ちに撮影処理を禁止し、その際に、例えば「カメラの向きが違います。横向きにして撮影して下さい。」といったような警告メッセージをメイン表示部１５に表示するか、あるいは、音声にて警告する（ステップＢ１３）。
【００８５】
一方、カメラ部１７が横向きであった場合、つまり、横長撮影モードに対応した基準の方向にカメラ部１７が構えられていれば（ステップＢ１２のＮｏ）、制御部３６は、通常の撮影処理を実行することで、横長の撮影画像を得る（ステップＡ１７）。
【００８６】
このように、ユーザがカメラ部１７を異方向に構えている場合にそのときの撮影を禁止する処理を加えることで、ユーザがカメラ部１７を正しい方向つまり横向きに構えた場合のみ、当該撮像モードに応じた画像を高画質で得ることができる。
【００８７】
（ｂ）縦長撮影モード時
次に、縦長撮影モード時の処理動作について説明する。  
図８は携帯電話機１１の縦長撮影モード時の処理動作を示すフローチャートである。基本的な処理の流れは、前記横長撮影モード時と同様である。
【００８８】
すなわち、カメラキー２０ａの操作により、縦長画像を撮影するための縦長撮影モードを設定すると（ステップＣ１１）、まず、方向検出部４５により携帯電話機１１のカメラ部１７の向き（詳しくは、カメラ部１７が備えられた筐体１２の向き）が検出されて制御部３６に与えられる（ステップＣ１２）。
【００８９】
ここで、携帯電話機１１のカメラ部１７が当該撮影モードに対応した基準の方向とは異なる方向つまり横向きであった場合には（ステップＣ１３のＹｅｓ）、制御部３６は、その横向き状態にてＣＣＤ４４から得られる画像データ（横長画像）の左右端部をカットしてトリミングすることにより縦長画像を生成し、これをスルー画像としてメイン表示部１５の一部の領域に表示する。また、その際に、当該画面の左右に生じる空領域に縦向きを促すメッセージを表示する（ステップＣ１４）。
【００９０】
一方、携帯電話機１１のカメラ部１７が当該撮影モードに対応した基準の方向つまり縦向きであった場合には（ステップＣ１３のＮｏ）、制御部３６は、その縦向き状態にてＣＣＤ４４から得られる画像データ（縦長画像）をそのままの形で通常のスルー画像としてメイン表示部１５の全域に表示する（ステップＣ１５）。
【００９１】
図１０にこのときのメイン表示部１５の画面表示例を示す。図１０（ａ）は縦持ち時の画面表示例、同図（ｂ）は横持ち時の画面表示例を示している。
【００９２】
縦長撮影モードにおいて、ユーザが携帯電話機１１のカメラ部１７を縦向きに構えて撮影すれば、図１０（ａ）に示すように、メイン表示部１５の画面全体にＣＣＤ４４の全域を使った通常の縦長画像６１が精細に表示される。
【００９３】
これに対し、ユーザが携帯電話機１１のカメラ部１７を横向きに構えると、ＣＣＤ４４の一部の使用により強制的に作られた縦長画像６２が表示される。その際、この縦長画像６２の左右の空き領域の一方に、例えば「縦配置で大きな画面を確認できます」といったように、縦向きの撮影を促すようなメッセージ６３が表示される。なお、このメッセージ６３を音声にて通知することでも良い。
【００９４】
また、ここではメイン表示部１５の画面の一部に縦長画像を表示する場合の例を示したが、例えばメイン表示部１５の画面全体を使ってスルー画像をそのまま表示し、その中で縦長画像の形にした場合のトリミング枠６４ａ，６４ｂを重畳表示することでも良く、このようなトリミング枠６４ａ，６４ｂの表示により、ユーザがカメラ部１７を異方向に構えている場合に、どこまでの範囲が当該撮影モードに応じた縦長画像として得られるのかを事前に確認することができる。
【００９５】
図８に戻って、このような縦長のスルー画像が表示されている状態で、セットキー２０ｂまたはシャッタキー２０ｃの押下などによるシャッタ操作があると（ステップＣ１６のＹｅｓ）、制御部３６は、画像撮影部３７を通じてＣＣＤ４４の撮影画像を取り込むなどの所定の撮影処理を行うと共に（ステップＣ１７）、そのときに横撮りであったのか縦撮りであったのかを方向検出部４５からの検出信号に基づいて判断する（ステップＣ１８）。
【００９６】
そして、横撮りであった場合、つまり、カメラ部１７を横向きに構えて撮影された場合であれば（ステップＣ１８のＹｅｓ）、制御部３６は、図１０（ｂ）のように左右端部をカットした撮影画像を縦長画像として扱い、画像処理部３８にて所定の方式で圧縮した後、メモリ３９に記録する（ステップＣ１９）。図１１にこのときに得られる撮影画像（縦長画像）の一例を示す。
【００９７】
一方、縦撮りであった場合、つまり、カメラ部１７を縦向きに構えて撮影された場合であれば（ステップＣ１８のＮｏ）、制御部３６は、図１０（ａ）のように撮影画像をそのままの形で通常の縦長画像として画像処理部３８にて所定の方式で圧縮した後、メモリ３９に記録する（ステップＣ２０）。
【００９８】
このように、縦長撮影モードが設定されている場合に、カメラ部１７を横向きに構えても撮影可能であり、その都度、撮影モードを意識して携帯電話機１１を持ち替えなくても縦長の画像を得ることができる。ただし、カメラ部１７を横向きにして撮影した場合には、左右端部のカットにより強制的に縦長画像が作成されるため、通常サイズの縦長画像よりも画質が低下することになる。
【００９９】
なお、前記横長撮影モード時の処理でも説明したが、このような異方向での撮影を防止するため、シャッタ操作があったときに撮影を禁止するような処理を設けることでも良い。図９にそのフローチャートを示す。図中のステップＤ１１〜Ｄ１３が撮影禁止処理に対応しており、ステップＣ１６とステップＣ１７との間に設けられる。
【０１００】
前記図５と同様に、シャッタ操作があったときに（ステップＣ１６のＹｅｓ）、制御部３６は、方向検出部４５を通じて携帯電話機１１のカメラ部１７の向きを検出する（ステップＤ１１）。
【０１０１】
その結果、カメラ部１７が横向きであった場合、つまり、縦長撮影モードと異なる方向にカメラ部１７が構えられていた場合に（ステップＤ１２のＹｅｓ）、制御部３６は、直ちに撮影処理を禁止し、その際に、例えば「カメラの向きが違います。縦向きにして撮影して下さい。」といったような警告メッセージをメイン表示部１５に表示するか、あるいは、音声にて警告する（ステップＤ１３）。
【０１０２】
一方、カメラ部１７が縦向きであった場合、つまり、縦長撮影モードに対応した基準の方向にカメラ部１７が構えられていれば（ステップＤ１２のＮｏ）、制御部３６は、通常の撮影処理を実行して縦長の撮影画像を得る（ステップＣ１７）。
【０１０３】
このように、ユーザがカメラ部１７を異方向に構えている場合にそのときの撮影を禁止する処理を加えることで、ユーザがカメラ部１７を正しい方向つまり縦向きに構えた場合のみ、当該撮像モードに応じた画像を高画質で得ることができる。
【０１０４】
以上のように、携帯電話機１１のカメラ部１７を縦、横のどちらの方向に構えても、現在設定されている撮影モードに応じて、横長撮影モードであれば横長画像、縦長撮影モードであれば縦長画像を簡単に得ることができる。したがって、ユーザは、その都度、撮影モードに応じたカメラ向きを気にせずに撮影を行うことができ、その撮影操作の負担を軽減することができる。
【０１０５】
また、撮影モードとは異なる方向にカメラ部１７を構えていた場合に、その旨のメッセージ５２，６３が表示されているので、そのメッセージ５２，６３に従って予め決められた方向にカメラ向きを直すことで、当該撮影モードに応じた通常の画像を高画質で得ることができる。
【０１０６】
なお、前記実施形態では、横長撮影モードおよび縦長撮影モードの２つの撮影モードを有する場合を想定して説明したが、どちらか一方の撮影モードしかない場合でも適用可能である。
【０１０７】
また、本発明は、カメラ付きの携帯電話機に限らず、デジタルカメラのように撮像装置単体のものはもとより、例えばカメラ付きのＰＤＡ（Personal Digital Assistant）など、撮像機能を備えた電子機器であれば、その全てに適用可能である。
【０１０８】
その他、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０９】
さらに、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【図面の簡単な説明】
【０１１０】
【図１】本発明の一実施形態に係る撮像装置としてカメラ付きの携帯電話機を例にした場合の外観構成を示す図であり、図１（ａ）は折り畳み式の携帯電話機を開いた状態、同図（ｂ）は閉じた状態を示す図。
【図２】同実施形態における携帯電話機の通信部と撮像部を含めた回路構成を示すブロック図。
【図３】同実施形態における携帯電話機のカメラ部の向きを示す図であり、図３（ａ）は携帯電話機の筐体を開いた状態でカメラ部を縦向きにした場合、同図（ｂ）は携帯電話機の筐体を開いた状態でカメラ部を横向きにした場合を示す図。
【図４】同実施形態における携帯電話機の横長撮影モード時の処理動作を示すフローチャート。
【図５】同実施形態における携帯電話機の横長撮影モード時の撮影禁止処理を設けた場合のフローチャート。
【図６】同実施形態における携帯電話機の横長撮影モード時の画面表示例を示す図であり、図６（ａ）は縦持ち時の画面表示例、同図（ｂ）は横持ち時の画面表示例を示す図。
【図７】同実施形態における携帯電話機の横長撮影モード時に得られる撮影画像（横長画像）の一例を示す図。
【図８】同実施形態における携帯電話機の縦長撮影モード時の処理動作を示すフローチャート。
【図９】同実施形態における携帯電話機の縦長撮影モード時の撮影禁止処理を設けた場合のフローチャート。
【図１０】同実施形態における携帯電話機の縦長撮影モード時の画面表示例を示す図であり、図１０（ａ）は縦持ち時の画面表示例、同図（ｂ）は横持ち時の画面表示例を示す図。
【図１１】同実施形態における携帯電話機の縦長撮影モード時に得られる撮影画像（縦長画像）の一例を示す図。
【符号の説明】
【０１１１】
１１…携帯電話機、１２…筐体、１３…筐体、１４…ヒンジ機構、１５…メイン表示部、１６…スピーカ、１７…カメラ部、１８…撮影ライト、１９…サブ表示部、２０…操作キー、２０ａ…カメラキー、２０ｂ…セットキー、２０ｃ…シャッタキー、２０ｄ…リングキー、２１…マイクロホン、２２…アンテナ、３１…通信部、３２…ＲＦ部、３３…変復調部、３４…ＣＤＭＡ部、３５…音声処理部、３６…制御部、３７…画像撮影部、３８…画像処理部、３９…メモリ、４０…ＬＥＤ駆動部、４２…モータ、４３…光学レンズ系、４４…ＣＣＤ、５１…縦向き状態での横長画像、５２…メッセージ、５３ａ，５３ｂ…トリミング枠、５４…横向き状態での横長画像、６１…縦向き状態での縦長画像、６２…横向き状態での縦長画像、６３…メッセージ、６４ａ，６４ｂ…トリミング枠。
【図１】
2005277674.tif 000003
【図２】
2005277674.tif 000004
【図３】
2005277674.tif 000005
【図４】
2005277674.tif 000006
【図５】
2005277674.tif 000007
【図６】
2005277674.tif 000008
【図７】
2005277674.tif 000009
【図８】
2005277674.tif 000010
【図９】
2005277674.tif 000011
【図１０】
2005277674.tif 000012
【図１１】
2005277674.tif 000013